Podtech/llm-jp-corpus-v4-ja_patent huggingface dataset:
(57)【要約】 【課題】  圧縮機構を組み立てる際に必要以上の締結力が作用し、締結歪によって性能低下や異常音の発生等の要因となる。【解決手段】  締結ボルトのうち主端板とシリンダを締結するボルトの数に対して補助端板とシリンダを締結するボルトの数を１本以上少なくする構成とすることで、締結歪が緩和され、またボルトの本数が減るため部品点数および組立て工数を減らすことができる。以上のことより、締結歪の少ない高効率な密閉型圧縮機を提供するとともに部品点数および組立て工数が少ない安価な圧縮機提供することができる【選択図】  図１
2005054712.tif 000002
【特許請求の範囲】
【請求項１】
密閉容器内に電動機と、この電動機によって駆動されるクランク軸と、クランク軸にて駆動されるローラと、このローラを収納するシリンダと、このシリンダとローラに当接しシリンダ内を仕切る仕切り板と、前記シリンダの両端面を複数のボルトにて締結されるとともに前記クランク軸を保持する軸受けを兼ねる主端板と補助端板とを有し、前記ボルトのうち前記主端板と前記シリンダを締結するボルトの数に対して前記補助端板と前記シリンダを締結するボルトの数が１本以上少なく構成された密閉型圧縮機。
【発明の詳細な説明】
【技術分野】
【０００１】
本発明は、空気調和装置あるいは冷蔵庫などに用いられる密閉型圧縮機に関するものである。
【背景技術】
【０００２】
従来のロータリ型の圧縮機では、主端板と補助端板はシリンダに設けられたネジ部に同数のボルトを用いて締結されている(例えば、特許文献１参照）。
【０００３】
図２に従来のロータリー型圧縮機の縦断面図を示す。図２に示すように、密閉容器１０１の内部に圧縮機構１０２を駆動する電動機１１３が固定され、この電動機に圧縮機構１０２を駆動するクランク軸１０３が結合されている。圧縮機構１０２は、クランク軸１０３によって駆動されるローラ１０４と、ローラ１０４を収納する円筒状気筒であるシリンダ１０５と、ローラ１０４に当接してシリンダ１０５内を仕切る仕切り板１０６、およびシリンダ１０５の両端面を保持する端板により構成されている。端板は主端板１０７及び補助端板１０８からなり、クランク軸１０３を保持し、かつ軸受けとしての機能も兼ね、圧縮機構をはさみ込むように配設され、主端板１０７の外周で密閉容器１０１に溶接固定されている。シリンダ１０５には吸入孔１０９が具備され、吸入孔１０９に圧入された吸入接続管１１０より圧縮するガスをシリンダ１０５内に導く。また、主端板１０７と補助端板１０８はシリンダ１０５に設けられたネジ部に同数のボルト１１１、１１２を用いて締結されている。
【特許文献１】特開２００２−９８０７５号公報
【発明の開示】
【発明が解決しようとする課題】
【０００４】
上記に述べた従来の圧縮機では、精密に組み立てられた圧縮機構１０２の吸入孔１０９に吸入接続管１１０を圧入する際に主端板１０７に対してシリンダ１０５を横方向にずらそうとする大きな圧入荷重が発生する。そこで主端板１０７とシリンダ１０５を締結する際には、軸受け負荷とともにこの圧入荷重耐えられるように締結力を設定する事が重要である。
【０００５】
一方で、補助端板１０８とシリンダ１０５の締結においては、前記の圧入荷重は作用せず軸受け負荷のみを考慮すれば良いため、主端板１０７とシリンダ１０５の締結力よりも弱く設定する事が可能となるにもかかわらず、端板１０７と１０８を締結しているボルト１１１、１１２の数は同じであり、補助端板側には必要以上の締結力が作用していることになる。また、必要以上の締結力によって生じる歪が性能低下や異常音の発生等の要因となることは容易に予測できる。
【０００６】
本発明はこのような従来の課題を解決するものであり、締結歪の少ない高効率な密閉型圧縮機を提供するとともに部品点数および組立て工数が少ない安価な密閉型圧縮機提供することを目的とする。
【課題を解決するための手段】
【０００７】
上記課題を解決するために本発明は、締結ボルトのうち主端板とシリンダを締結するボルトの数に対して補助端板とシリンダを締結するボルトの数を１本以上少なくする構成とした。
【発明の効果】
【０００８】
本発明は、締結ボルトのうち主端板とシリンダを締結するボルトの数に対して補助端板とシリンダを締結するボルトの数を１本以上少なくする構成とするもので、この構成によれば、締結歪の少ない高効率な密閉型圧縮機を提供するとともに部品点数および組立て工数が少ない安価な圧縮機提供することができる。
【発明を実施するための最良の形態】
【０００９】
以下、本発明の実施の形態について図面を参照して説明する。
【００１０】
（実施の形態１）
図１に示すように、ロータリ型の密閉型圧縮機では、密閉容器１の内部に圧縮機構２を駆動する電動機３の固定子４が固定され、この電動機３の回転子５に圧縮機構２を駆動するクランク軸６が結合されている。
【００１１】
圧縮機構２は、クランク軸６によって駆動されるローラ７と、円筒状気筒であるシリンダ８とローラ７に当接してシリンダ８内を仕切る仕切り板９およびシリンダ８の両端面を保持する端板にて構成されている。ここで端板はクランク軸６を保持する軸受けも兼ねる主端板１０と補助端板１１とにより上下から挟み込むように配設され、主端板１０の外周で密閉容器１に溶接固定されている。シリンダ８には吸入孔１２が具備され、吸入孔１２に圧入された吸入接続管１３より圧縮するガスをシリンダ８内に導く。また、主端板１０と補助端板１１はシリンダ８に設けられたネジ部にボルト１４、１５を用いて締結されている。
【００１２】
ここで、主端板１０とシリンダ８を締結するボルト１４の数に対して補助端板１１とシリンダ１０を締結するボルト１５の数が１本以上少なく構成されている。これにより、補助端板１１とシリンダ８の締結力は主端板１０とシリンダ８との締結力より低下するため、締結歪が緩和される。また、ボルトの本数が減るため、部品点数および組立て工数を減らすことができる。
【産業上の利用可能性】
【００１３】
以上のように、本発明にかかる密閉型圧縮機は、締結歪の少ない高効率な密閉型圧縮機を提供するとともに部品点数および組立て工数が少ない安価な圧縮機提供することが可能となるので、空気調和装置や冷蔵庫等の冷凍機器に適用できる。
【図面の簡単な説明】
【００１４】
【図１】本発明の実施例を示す圧縮機の縦断面図
【図２】従来の圧縮機の縦断面図
【符号の説明】
【００１５】
１    密閉容器
３    電動機
８    シリンダ
１０    主端板
１１    補助端板
１４、１５    ボルト
【図１】
2005054712.tif 000003
【図２】
2005054712.tif 000004
(57)【要約】【課題】従来は、振動を吸収するには、ゴム、バネ等を利用してきたが、あまり効果が期待出来なかったが、本発明の原理を利用する事により、振動を完全に吸収する事ができる。【解決手段】図面の様に、ボールとバネを組み合わせる事により、あらゆる方向からの衝撃から物体を守れる様にした。【選択図】        図１
2005054893.tif 000002
【特許請求の範囲】
【請求項１】
ボール、バネを利用する事により、大きな振動を受けても
テーブルの上の物体は、重力の中心に位置し、微動だにしない構造。
【発明の詳細な説明】
【技術分野】
【０００１】
本発明は、ボール、バネを利用しテーブルの上の物体に掛る衝撃を吸収し、常に重力の中心に位置する事により、物体の転倒を防ぐ様にした構造に関する。
【背景技術】
【０００２】
従来の技術は、ゴム、バネ等を利用し衝撃を緩和する物が有ったが、本発明の様な、完全に衝撃を吸収出来る物は見当たらない。
【発明の開示】
【発明が解決しようとする課題】
【０００３】
従来は、ゴム、バネ等を利用し衝撃を緩和する物が有ったが、効果が期待出来なかった。
【課題を解決するための手段】
【０００４】
本考案は、ボール、バネを利用しどの様な方向からの衝撃でも吸収出来る様にした。
【発明の効果】
【０００５】
上述の如く、本発明にあたっては、従来、ゴム、バネ等利用して地震、振動の緩和を行ってきたが、本発明の様に、ボールとバネを利用し振動の緩和を行う物は他に見当たらないこの原理を利用することにより、電車、自動車、飛行機、建築物、他色々な物に利用出来ると考えられので、本発明の構成は新規であり、その利用による効果は大きい。
【発明を実施するための最良の形態】
【０００６】
発明の実施の形態を実施例にもとづき図面を参照して説明する。
図１は、上面から見た図で、４、ベースの溝にボールを配置し、１、テーブルにバネを図の様に取り付ける事により、バネの緩衝作用を利用し、テーブル上の物体を常に重力の中心に位置し、物体を衝撃から守る事ができる。
【図面の簡単な説明】
【０００７】
【図１】衝撃吸収テーブルの平面図である。
【図２】衝撃吸収テーブルの平面断面図である。
【符号の説明】
【０００８】
１  テーブル
２  バネ
３  ボール
４  ベース
【図１】
2005054893.tif 000003
【図２】
2005054893.tif 000004
(57)【要約】【課題】二酸化炭素冷媒の超臨界状態による樹脂材料の溶出を抑制するとともに摺動部への給油を改善し、信頼性の高い圧縮機を提供する。また、特に電動要素に用いられるエナメル線やフィルム等に従来と同等の安価な材料を適用できるようにする。【解決手段】二酸化炭素冷媒を用いた多段圧縮機において、超臨界状態における樹脂材料の溶出劣化および高い作動圧力における信頼性確保のため、圧縮機の密閉容器内を電動要素を含む空間と圧縮要素および冷凍機油を含む空間に分割し、電動要素側の空間を低圧とし、圧縮要素および冷凍機油を含む空間を中間圧とした。本構造により電動要素に使用されるエナメル線やフィルム等の樹脂材料の溶出の抑制ができ、さらに差圧給油による摺動部への給油量確保とシール性向上により高い性能と信頼性を得ることが可能になる。【選択図】  図１
2005054577.tif 000002
【特許請求の範囲】
【請求項１】
密閉容器内に電動要素と圧縮要素を収納するとともに容器低部に冷凍機油を貯留し、前期圧縮要素に含まれる複数のシリンダにて多段圧縮を行う密閉型圧縮機において、密閉容器内を電動要素が含まれる空間と圧縮要素および低部の冷凍機油が含まれる空間に分割し、電動要素が含まれる空間を低圧にし、冷凍機油および圧縮要素が含まれる空間を多段圧縮の中間圧に設定したことを特徴とする密閉形圧縮機。
【請求項２】
冷媒として二酸化炭素を用い、密閉容器内に電動要素と圧縮要素を収納するとともに容器低部に冷凍機油を貯留し、前期圧縮要素に含まれる複数のシリンダにて多段圧縮を行う密閉型圧縮機において、密閉容器内を電動要素が含まれる空間と圧縮要素および低部の冷凍機油が含まれる空間に分割し、電動要素が含まれる空間を低圧にし、圧縮要素および冷凍機油が含まれる空間を多段圧縮の中間圧に設定したことを特徴とする密閉形圧縮機。
【請求項３】
冷媒として二酸化炭素を用い、密閉容器内に電動要素と圧縮要素を収納するとともに容器低部に冷凍機油を貯留し、前期圧縮要素に含まれる複数のシリンダにて多段圧縮を行う密閉型圧縮機において、密閉容器内を電動要素が含まれる空間と圧縮要素および低部の冷凍機油が含まれる空間に分割し、電動要素が含まれる空間を低圧にし、圧縮要素および冷凍機油が含まれる空間を多段圧縮の中間圧に設定し、同中間圧が二酸化炭素冷媒の臨界点を超えない圧力になるよう設定されたことを特徴とする密閉形圧縮機。
【発明の詳細な説明】
【０００１】
【発明の属する技術分野】
本発明は冷蔵庫、ルームエアコン、除湿機等の冷凍空調応用機器に用いられる密閉形圧縮機に係り、特に圧縮機の信頼性を向上させる技術を提供するものである。
【０００２】
【従来の技術】
近年、地球環境保護の観点より、いわゆる容積形圧縮機を用いる冷凍空調装置に使用される冷媒としてオゾン層破壊係数の低いＨＦＣ（ハイドロフロロカーボン）系冷媒や、加えて地球温暖化係数の低い自然系冷媒、例えばプロパン、イソブタン等の炭化水素系冷媒および二酸化炭素等が注目され実用化が行われている。この中で特に二酸化炭素は臨界点が３１℃と低く、冷凍空調システムで使用する場合、高圧側が臨界点を超えるいわゆる超臨界サイクルを構成する。また、他の冷媒と比較し非常に高い作動圧力となることが知られている。
【０００３】
なお、この種技術に関連する従来例として下記の特許文献１を挙げることができる。
【０００４】
【特許文献１】
特開２０００−９７１７７号公報
【０００５】
【発明が解決しようとする課題】
上記の二酸化炭素冷媒の特性を考慮すると、以下の課題を解決する必要がある。一つは超臨界状態における樹脂等の高分子材料の溶出である。従来の冷媒、例えばＨＦＣ（ハイドロフルオロカーボン）中に使用される樹脂材を二酸化炭素の超臨界状態で使用すると数十倍の量が溶出すると言われている。また、冷媒中あるいは冷凍機油中に水分が存在した場合にはさらに溶出が促進され樹脂材料の著しい劣化につながるおそれがある。もう一つの課題は非常に高い作動圧力への対応である。例えば、ルームエアコンの運転条件においてＨＦＣ径冷媒であるＲ４１０Ａを用いた場合，高圧側の圧力は２〜３ＭＰａ程度であるのに対し、二酸化炭素の場合１０〜１５ＭＰａとなり、圧縮機の容器耐圧、摺動部の負荷耐力の向上等が必要不可欠となる。
【０００６】
上記の課題を解決するために、特開２０００−９７１７７号公報に見られるように二酸化炭素冷媒を用いた２段圧縮機で密閉容器内部を低圧に設定した例があるが、この場合シリンダ作動室内と容器内空間の差圧による冷媒漏れ、あるいは給油経路への高圧ガスの漏れ込み等による性能や信頼性の低下等の問題が考えられる。
【０００７】
【課題を解決するための手段】
上記課題に対応するため、本発明においては、圧縮機の密閉容器内を電動要素が含まれる空間と冷凍機油が含まれる空間に分割し、電動要素が含まれる空間を低圧とし、圧縮要素および冷凍機油が含まれる空間を中間圧に設定するものである。
【０００８】
【発明の実施の形態】
本発明の実施例について図１を用いて説明する。
【０００９】
図１は２段圧縮機の縦断面図であり、密閉容器１内に電動要素２と圧縮要素３が収納され、さらに低部に冷凍機油４が貯留されている。密閉容器１内は仕切部材５（本例では主軸受を兼ねる）により電動要素２を含む上部空間１１と圧縮要素３および冷凍機油４を含む下部空間１２に分割されている。冷媒ガスは吸込管１３より低圧の状態で上部空間１１に導かれた後、吸込ポート３１より第１のシリンダに吸い込まれ、圧縮された後中間圧の状態で下部空間１２に送り出される。さらに第２のシリンダにより中間圧から高圧に圧縮された冷媒は吐出管３３よりサイクルへ送り出される。
【００１０】
本構造において、下部空間１２すなわち冷凍機油４側が中間圧で上部空間１１すなわち電動要素２側が低圧であることより生じる差圧により圧縮要素３の各摺動部に効率的な給油が可能となる。二酸化炭素冷媒の場合、低圧と中間圧に生じる差圧は１〜３ＭＰａ程度となり過度の油量が低圧側に流出するおそれがあるが、図２に示すように本例では最終的に給油通路となる主軸受のクリアランス（半径隙間）を適正に設定することにより適度な給油を行うことが可能となった。
【００１１】
また、図１中に示すように圧力調整弁６等の手段を用い、図３のモリエル線図に示すように中間圧が臨界圧力を超えないように制御することにより冷凍機油の劣化防止の効果を得ることも可能である。
【００１２】
【発明の効果】
本発明によれば、二酸化炭素冷媒の超臨界状態による樹脂材料の溶出を抑制するとともに摺動部への給油を改善することができ、信頼性の高い圧縮機を提供することが可能である。また、特に電動要素に用いられるエナメル線やフィルム等に従来と同等の安価な材料を適用できる可能性もある。
【図面の簡単な説明】
【図１】本発明の一実施例を採用した圧縮機の縦断面図。
【図２】主軸部隙間からの油漏れ量を示す図。
【図３】二酸化炭素冷媒のモリエル線図。
【符号の説明】
１…密閉容器、２…電動要素、３…圧縮要素、４…冷凍機油、５…仕切部材。
【図１】
2005054577.tif 000003
【図２】
2005054577.tif 000004
【図３】
2005054577.tif 000005
(57)【要約】      （修正有）【課題】回転子の重力を利用することにより燃料や電気等のエネルギーを必要としない原動機を提供する。【解決手段】円筒形の筒の中に取り付けられ，変芯ドラムを貫通したロッドで繋がれた回転子を放射状に（変芯ドラム軸心方向に回転子ロッドを並べることにより放射状に取付けが可能となる）とりつける。この回転子が変芯ドラム軸心とケーシング軸心が異なっている為に回転子左右間のトルクが異なり変芯ドラムに回転力を生じる。回転子が放射状に配置されていることにより、連続して出力軸に回転が得られ原動機と成る。【選択図】なし【特許請求の範囲】
【請求項１】
［請求項の数］  ２
▲１▼  ケーシング内で回転子がケーシングの内面にガイドされて回転する。
▲２▼  回転子はローターの芯とケーシング芯が異なる、回転子を連結しているロッドは軸線上に沿って並んでいるものとする。
【発明の詳細な説明】
「発明の概要」
この発明は、円筒形ケーシングの内面を回転又は滑って動く回転子がローターの中を貫通したロッドで繋がれておりケーシングの軸心とローターの軸心は異なる位置にある、その為に回転子がケーシング内を動く事によりローターが回転子ロッドにより回転されるこのローター軸と駆動軸同一又はクラッチにより連結されている、ことで駆動軸が回転する。この原動機は現在使用されているエンジン、モーター等と違い燃料を必要としないで重力だけで動力が作り出せる、温暖化が叫ばれている現在において、より有効であり社会性のある発明と思われる。
【図面の簡単な説明】
「図面の説明」
▲１▼の中で回転又は滑って動く▲２▼の回転子は回転子ロッドの両端に付いている▲３▼の変心ローター（回転子ロッドをガイドする）▲４▼の回転子ロッドはローターを回転させる▲５▼は原動機軸で▲６▼の回転子ロッドスライドベアリングで出来ており回転子がケーシング内周を回転又は滑って動く事により▲５▼の原動機軸に回転力を誘発せしめるものである。（右の回転子と左の回転子はロッドで繋がれており右の回転子から原動機軸心までの距離と左の回転子までの距離の大きさが違えば、左の回転子重力×距離−右の回転子重力×距離＝回転力となる）
▲１▼ケーシング（回転子が回転する為のガイド容器）
▲２▼回転子（質量を有する重力体）
▲３▼変心ローター（回転子の回転軸芯と出力軸芯は振れておりこの事により回転子間のテコの原理を利用して回転駆動力を誘発されるドラム）
▲４▼回転子ロッド（ケーシング内を回転し原動機出力軸に回転力を与える回転子を連結しているロッド）
▲５▼原動機出力軸（回転子より誘発される回転軸）
▲６▼ロッドスライドベアリング（回転子ロッドがスムーズに動く為のベアリング）
2005054575.tif 000002
【手続補正書】
【提出日】平成14年10月28日(2002.10.28)
【手続補正１】
【補正対象書類名】明細書
【補正対象項目名】特許請求の範囲
【補正方法】変更
【補正の内容】
【特許請求の範囲】
【請求項１】
ケーシング内で回転子がケーシングの内面にガイドされて回転する。
【請求項２】
変芯ドラムの芯とケーシング芯は異なる。回転子を連結しているロッドは変芯ドラムの軸線上に沿って並んでいるものとする。
【手続補正２】
【補正対象書類名】明細書
【補正対象項目名】図面の簡単な説明
【補正方法】変更
【補正の内容】
【図面の簡単な説明】
【図Ｉ】本発明は円筒形のケーシング▲１▼の内面を滑るか回転しながら動く回転子。これはロッドで繋がれていて、このロッドは出力ドラムの中を貫通しており、この出力ドラムの軸心とケーシング軸心は異なる位置にあるものとする。回転子は円周方向に配置し、回転子接続ロッドはドラム軸方向に並べて配置するものとする。このことにより、回転子左右間のトルクが異なり回転力を生じる。回転子が放射状に配置されている事により、連続して出力軸に回転が得られ原動機として利用できる。現在広く使用されている原動機はガソリンや電力等のエネルギーを必要としているが本発明の原動機はより社会性があるものと考える。
【符号の説明】
▲１▼ケーシング（回転子が滑るか又は回転して動く為の容器）
▲２▼回転子（質量を有する重力体）
▲３▼変芯ドラム（回転子の回転軸芯と出力軸心は振れておりこの事により回転子間のテコの原理を利用して回転駆動力を誘発させるドラム。軸心はケーシング軸心とは異なる位置に置くものとする。）
▲４▼回転子ロッド（ケーシング内を回転し原動機出力軸に回転力を与える回転子を連結しているロッド）
▲５▼原動機出力軸（回転子より誘発される回転軸）
▲６▼ロッドスライドベアリング（回転子ロッドがスムーズにスライドする為のベアリング）


【手続補正３】
【補正対象書類名】図面
【補正対象項目名】全図
【補正方法】変更
【補正の内容】
【図Ｉ】
2005054575.tif 000003
(57)【要約】【課題】  浴室内，洗面室内のどちらからでも機器の操作が可能となる間仕切構造を提供する。【解決手段】  浴室１と洗面室を仕切る間仕切４の、浴室側壁面４ａと洗面室側壁面４ｂの両面にワイヤレス方式の浴室用機器または洗面室用機器のリモコン受信部９を設けて構成する。【選択図】  図１
2005054544.tif 000002
【特許請求の範囲】
【請求項１】
浴室と洗面室を仕切る間仕切の、浴室側壁面と洗面室側壁面の両面に、ワイヤレス方式の浴室用機器または洗面室用機器のリモコン受信部を設けたことを特徴とする間仕切構造。
【請求項２】
一つの機器に対するリモコン受信部が、浴室側壁面と洗面室側壁面の両面にあることを特徴とする請求項１に記載の間仕切構造。
【発明の詳細な説明】
【技術分野】
【０００１】
この発明は、浴室と洗面室とを仕切る間仕切の構造に関するものである。
【背景技術】
【０００２】
従来、浴室内には、ポップアップ式の自動排水栓や、ジェットバス用のポンプ等の浴室機器が設けられており、これらの浴室機器を操作するためのワイヤレス方式のリモコンが浴室内に設けられていた。
【特許文献１】特開２００１−３２７４２８号公報
【発明の開示】
【発明が解決しようとする課題】
【０００３】
従来のように、浴室機器のリモコンが浴室内に設けられている場合には、浴室内に入らなければ浴室機器の操作をすることができず、使い勝手が悪いという問題点があった。
【課題を解決するための手段】
【０００４】
本発明は上記従来の問題点に鑑み案出したものであって、使い勝手が良好なものとなる間仕切構造を提供するものであり、請求項１では、浴室と洗面室を仕切る間仕切の、浴室側壁面と洗面室側壁面の両面に、ワイヤレス方式の浴室用機器または洗面室用機器のリモコン受信部を設けたことである。
また、請求項２では、一つの機器に対するリモコン受信部が、浴室側壁面と洗面室側壁面の両面にあることである。
【発明の効果】
【０００５】
浴室側および洗面室側に、それぞれリモコン受信部を設けているため、浴室内，洗面室内のどちらからでも機器の操作をすることができ、使い勝手が良好なものとなる。
【実施例】
【０００６】
以下、本発明の実施例を図面に基づいて説明する。
図１は、浴室内から見た斜視構成図であり、また、図２は洗面室側から見た斜視構成図である。
浴室１内には、浴槽２が設けられ、浴室１内への出入り口を構成するドア３の側方には、浴室１と洗面室５を仕切る間仕切４が設けられており、この間仕切４には、浴槽２内に入りながら見ることのできるテレビ６が設置され、テレビ６の上方には、凹み状に収納部７が形成されている。
また、間仕切４の浴室側壁面４ａには、ワイヤレス方式のリモコン受信部９が設けられている。
なお、間仕切４の下部の、浴槽２で隠された部分には、ジェットバス用のポンプ８が設置されている。
【０００７】
一方、図２に示すように、洗面室５側の間仕切４の洗面室側壁面４ｂには、ワイヤレスリモコン１０が設けられており、またリモコン受信部１１が設けられている。
更には、洗面室５に設置される洗濯機１２へ浴槽２内の湯を汲み上げて供給できる浴槽水汲み上げ口１３が設けられている。
【０００８】
なお、ワイヤレスリモコン１０は、図３の縦断面拡大図で示すように、間仕切４の洗面室側壁面４ｂに凹部４ｃを形成させ、この凹部４ｃ内に嵌め込み状に設置されたものであり、設置状態では、洗面室側壁面４ｂとほぼ面一状となって、スッキリとした設置状態が得られるように構成され、リモコン１０は凹部４ｃから容易に取り外して使用できるように構成されている。
ワイヤレスリモコン１０に設けられた各種スイッチを操作することにより、ワイヤレスリモコン１０から発信された信号が、リモコン受信部９または１１で受信され、これにより所定の機器が作動されるものである。
【０００９】
本例では、リモコン受信部９および１１は、間仕切４の浴室側壁面４ａにも、また洗面室側壁面４ｂにも設けられているため、洗面室５内でリモコン１０を操作して、浴室内の機器を作動させることができ、また、浴室１内に入ってリモコン１０を操作しても、同様にリモコン受信部９で受信されて、浴室内の機器が作動されるものである。
即ち、浴室１と洗面室５の何れか側からでも機器の操作をすることができるものとなる。
例えば、洗面室５内でリモコン１０を操作することにより、浴室１内の浴槽２の底側に設けられたポップアップ式の自動排水栓を開けて、浴槽２内の湯を排出させたり、また逆に排水栓を閉めて、浴槽２内に湯張りを行うことができ、また、浴室の内窓を洗面室５側から操作して、開閉させることができるものとなる。
【００１０】
更には、ジェットバス用ポンプ８を洗面室５から操作して、浴槽２のジェットバスを作動させることもできるものである。
また逆に、浴室１内から浴槽水汲み上げ用のポンプを作動させて、洗面室５内の洗濯機１２内に、浴槽の水を浴槽水汲み上げ口１３から供給することもでき、使い勝手が良好なものとなる。
また、浴室内に設置されたテレビ６を、洗面室５側からの操作でオンオフさせることができるものである。
【図面の簡単な説明】
【００１１】
【図１】浴室側から見た間仕切の斜視構成図である。
【図２】洗面室側から見た間仕切の斜視構成図である。
【図３】間仕切にリモコンを設置した状態の縦断面拡大構成図である。
【符号の説明】
【００１２】
１  浴室
２  浴槽
３  ドア
４  間仕切
４ａ  浴室側壁面
４ｂ  洗面室側壁面
５  洗面室
６  テレビ
７  収納部
８  ジェットバス用ポンプ
９，１１  リモコン受信部
１０  ワイヤレスリモコン
１２  洗濯機
１３  浴槽水汲み上げ口
【図１】
2005054544.tif 000003
【図２】
2005054544.tif 000004
【図３】
2005054544.tif 000005
(57)【要約】      （修正有）【課題】  自動車駐車場に於ける駐車の方法は、駐車用白線間の中心に駐車しようとするため、数回の前進、後退をすることで、時間の浪費、及び、人それぞれの感性の違いで、車両が必ずしも中心にないため、車両への乗り降りに難があった。【解決手段】  駐車用白線１の片側に、補助線２を設け、その補助線上に車両３の片側のタイヤを乗せることで、車両は等間隔に、曲がることなく駐車され、時間の短縮、及び、車両への乗り降りが容易になる。【選択図】  図２
2005054550.tif 000002
【特許請求の範囲】
【請求項１】
自動車駐車場の駐車用白線の片側に、白色以外の補助線を設けることによって、駐車を簡素にすることを可能にした、自動車駐車用白線に係る補助線。
【発明の詳細な説明】
【発明の詳細な説明】
【技術分野】
【０００１】本発明は，自動車駐車場の駐車用白線の片側に、白色以外の補助線を設け、その補助線上に、車両の片側のタイヤを乗せることで、駐車が簡素にできるようにしたものである。
【背景技術】
【０００２】従来は、車両の駐車方法といえば、白線間の中心に駐車しようとするため、数回の前進、後退をするが、人それぞれの感性によって、駐車位置は必ずしも中心にはなかった。
【発明が解決しようとする課題】
【０００３】従来の駐車方法だと、数回の前進、後退のための時間の浪費や、駐車位置が必ずしも中心にないため、ドアの開閉に支障をきたすこともあり、車両への乗り降りが楽ではなかった。本発明は、この課題を解消するためになされたものである。
【課題を解決するための手段】
【０００４】駐車用白線１の片側に、補助線２を設けることによって、白線の片側に車両が駐車され、各車両間隔が均一化され、駐車の手間の簡素化と、車両への乗り降りを容易にしたことを特徴とする。
【発明を実施するための最良の形態】
【０００５】駐車用白線１の片側に、補助線２を設け、その補助線上に車両の片側のタイヤを乗せることで、車両は必ず白線の片側に、曲がることなく駐車できる。
【発明の効果】
【０００６】白線間の中心に駐車するよりも、補助線に片輪を乗せるほうが、手間は半分以下で済み時間の短縮になり、又、駐車用白線の片側に駐車されれば、車両の間隔は均一化され、ドアの開閉は容易になり車両への乗り降りが大変楽になる。
【図面の簡単な説明】
【０００７】
【図１】  本発明の正面図である。
【図２】  本発明の実施態様を示す正面図である。
【符号の説明】
【０００８】  １．駐車用白線
２．補助線
３．車両
【図１】
2005054550.tif 000003
【図２】
2005054550.tif 000004
(57)【要約】【課題】  寒い思いをすることなく、冬季等において良好に浴室を利用することのできる浴室の間仕切壁を提供する。【解決手段】  浴室１と洗面室１０を仕切る間仕切壁３において、この間仕切壁３の浴室１側と洗面室１０側の同じ位置に、両室を連通する小窓３ａを設け、洗面室１０側の小窓３ａの下には棚１２を設けて、この棚１２上に乾いたタオル等を置き、浴室１側からこのタオル１３等を小窓１３ａを介して取り込むことができるように構成する。【選択図】  図５
2005054545.tif 000002
【特許請求の範囲】
【請求項１】
浴室と洗面室を仕切る間仕切壁において、該間仕切壁の浴室側と洗面室側の同じ位置に、両室を連通する小窓を設け、洗面室側の小窓の下には棚を設けたことを特徴とする間仕切壁。
【請求項２】
前記棚が撥ね上げ式であることを特徴とする請求項１に記載の間仕切壁。
【発明の詳細な説明】
【技術分野】
【０００１】
本発明は、浴室と洗面室を仕切る間仕切壁に関するものである。
【背景技術】
【０００２】
従来、浴室と洗面室を仕切る間仕切壁を利用して、この間仕切壁に収納凹部を設けたものが存在する。
【特許文献１】特開平９−７２１１８号公報
【発明の開示】
【発明が解決しようとする課題】
【０００３】
なお、発明者らは、図１〜図３の収納構造を案出した。
図１は、浴室の斜視構成図であり、浴室１の出入り口を構成するドア２の側方には、浴室１と洗面室を仕切る間仕切壁３が設けられており、この間仕切壁３に収納ボックス４が設けられている。
図２は、要部拡大縦断面構成図であり、間仕切壁３に貫通状に形成した小窓（開口）３ａの下部に、軸５を設けて、この軸５を介し開閉可能に収納ボックス４が設けられている。
また、図３のように、軸５に沿ってスライドさせることのできる引き出し式の収納ボックス４を設けることもできる。
【０００４】
しかし、このような収納ボックス４を設けて、収納ボックス４内に物を入れて収納できるように構成すると、収納ボックス４は、間仕切壁３の厚み分しか内部の収納スペースを取れないために、収納ボックス４内に多くの物を入れることができないという問題点があった。
【課題を解決するための手段】
【０００５】
本発明は上記従来の問題点に鑑み案出したものであって、請求項１では、浴室と洗面室を仕切る間仕切壁において、該間仕切壁の浴室側と洗面室側の同じ位置に、両室を連通する小窓を設け、洗面室側の小窓の下には棚を設けたことである。
また、請求項２では、前記棚を撥ね上げ式に構成したことである。
【発明の効果】
【０００６】
浴室と洗面室を仕切る間仕切壁において、間仕切壁の浴室側と洗面室側の同じ位置に、両室を連通する小窓を設け、洗面室側の小窓の下には棚を設けたことにより、洗面室側に設けた棚の上に、タオル，ガウン，かご等を載せておき、温かい浴室で脱いだ衣類を、小窓を介して浴室内から洗面室側のかごに放り込むことができ、また、湯上がり後に、浴室内から、小窓を介して洗面室側の棚上においたタオルを取り、浴室内で乾いたタオルにより良好に身体を拭くことができ、更には、浴室内で、洗面室側からガウン等を取って、温かい浴室内でガウンを着た状態で寒い洗面室内へ出ることができ、洗面室側で寒い思いをすることがない。
また、棚を設けているので多くの物を載せることができる。
【０００７】
また、棚が撥ね上げ式であることにより、使用しない時には間仕切壁側へ撥ね上げて、コンパクトに収納することができ、洗面室がスッキリとしたものとなる。
【実施例】
【０００８】
以下、本発明の実施例を図面に基づいて説明する。
図４には、浴室側からの斜視図を、また図５には、洗面室側からの斜視図を示す。
即ち、図４および図５において、間仕切壁３の浴室１側と洗面室１０側の同じ位置には、両室１，１０を連通する小窓３ａが貫通状に形成されており、この小窓３ａには、浴室側１および洗面室側１０の少なくとも一方には、開閉可能に扉６が設けられて、使用しない時には、浴室１と洗面室１０側を扉６で遮断できるように構成されている。
なお、浴室１側の小窓３ａの上部および下部には、図４に示すように、凹み状に収納凹部７が形成されており、小窓３ａおよび収納凹部７は、浴室１内の洗い場９側に形成されている。
【０００９】
一方、図５に示すように、洗面室１０側の小窓３ａの下部には、棚１２が設けられており、この棚１２は、例えば洗濯機１１の上方等に設けておくことができ、棚１２は撥ね上げバー１２ａを備えて、使用しない時には間仕切壁３側へ撥ね上げてコンパクトに収納できるように構成しておくことができる。
この棚１２上には、乾いたタオル１３を置いておくことができ、また、ガウンや寝間着を置いておくこともでき、更には、脱衣かご等を置いておくことができるものである。
【００１０】
このように構成したことにより、例えば冬季等において、洗面室１０側には暖房装置が存在しない場合、洗面室１０内は寒く、浴室１内は蒸気により温かく保持されているため、ドア２を開けて浴室１内に衣類を着たままで入り、浴室１内で衣類を脱いで、小窓３ａから棚１２上においてある脱衣かご内に衣類を放り込むことができ、洗面室１０内の寒い場所で衣類を脱ぐ必要がなくなる。
【００１１】
また、浴室１内で入浴を終えた後に、小窓３ａを介して浴室内から、棚１２上に置いてある乾いたタオル１３を浴室１内に取り込み、浴室１内で乾いたタオル１３で身体を拭くことができ、更には、棚１２上に置いてあるガウンや寝間着等を小窓１３を介して浴室１内に取り込んで、浴室１内でガウンや寝間着を着て、その状態でドア２を開けて寒い洗面室１０内に出てくることができ、従来では、極端な温度差により、老人等においては身体への負担が大となっていたが、本発明の間仕切壁の構成とすれば、温かい浴室１内で乾いたタオル等で水を良く拭きとってから、脱衣室１０内に出て来れるために、寒い思いをすることがない。
【図面の簡単な説明】
【００１２】
【図１】浴室側から見た間仕切壁の斜視構成図である。
【図２】間仕切壁に設けた収納ボックスの一例を示す縦断面拡大構成図である。
【図３】収納ボックスの別例を示す縦断面拡大構成図である。
【図４】浴室の内側から見た間仕切壁の斜視構成図である。
【図５】洗面室側から見た間仕切壁の斜視構成図である。
【符号の説明】
【００１３】
１  浴室
２  ドア
３  間仕切壁
３ａ  小窓
６  扉
７  収納凹部
９  洗い場
１０  洗面室
１１  洗濯機
１２  棚
１２ａ  撥ね上げバー
【図１】
2005054545.tif 000003
【図２】
2005054545.tif 000004
【図３】
2005054545.tif 000005
【図４】
2005054545.tif 000006
【図５】
2005054545.tif 000007
(57)【要約】【課題】  建て付けと同時に浴室と洗面室を仕上げることができ、しかも浴室と洗面室を同時に温めることのできる間仕切壁を提供する。【解決手段】  浴室１と洗面室２間に設置される間仕切壁３であって、この間仕切壁３は、内部にヒーター３４が埋め込まれているとともに、浴室１側と洗面室２側が共に意匠面３１ａ，３２ａとなったパネル３１，３２，３３で構成されている。【選択図】  図２
2005054547.tif 000002
【特許請求の範囲】
【請求項１】
浴室と洗面室間に設置される間仕切壁であって、該間仕切壁は、内部にヒーターが埋め込まれているとともに、浴室側と洗面室側が共に意匠面となったパネルで構成されていることを特徴とする間仕切壁。
【発明の詳細な説明】
【技術分野】
【０００１】
本発明は、浴室と洗面室間に設置される間仕切壁に関するものである。
【背景技術】
【０００２】
従来、図３の斜視図で示すように、浴室１と洗面室２間は、ドア４を備えたドア枠５と連続状に設置されている間仕切壁３により仕切られている。
【０００３】
この間仕切壁３は、図４の平面断面拡大構成図で示すように、浴室１の壁面を構成する浴室壁５１と、洗面室２の壁面を構成する洗面室壁５２間に、間柱５３，５３が設けられており、間柱５３に対し浴室壁５１及び洗面室壁５２をそれぞれ建て付けて仕上げる必要があり、施工工数が多くなり、手間がかかるものであった。
また、浴室１と洗面室２を暖房するためには、それぞれ暖房機を設ける必要があった。
【０００４】
なお、特許文献１に開示されているように、ドア４に薄型面状発熱体を装着してドアを暖房できるように構成したものが存在する。
【特許文献１】特開平８−２００７１７号公報
【発明の開示】
【発明が解決しようとする課題】
【０００５】
従来では、浴室壁５１と洗面室壁５２をそれぞれ建て付けて、間仕切壁３を形成させる必要があり、施工工数が多くなっており、また、従来のようなドアに発熱体を装着した構成では、浴室内に出入りする際にドアに触ると熱く感じ、使用勝手が悪いという問題点があった。
【課題を解決するための手段】
【０００６】
本発明は上記従来の問題点に鑑み案出したものであって、施工が容易で、浴室と洗面室を同時に温めることのできる間仕切壁を提供しようとするものであり、その手段は、浴室と洗面室間に設置される間仕切壁であって、該間仕切壁は、内部にヒーターが埋め込まれていると共に、浴室側と洗面室側が共に意匠面となったパネルで構成することである。
【発明の効果】
【０００７】
予め内部にヒーターが埋め込まれ、しかも浴室側および洗面室側の面が化粧処理された意匠面で構成された間仕切壁を、所定位置に建て付け施工するだけで、浴室と洗面室の壁面が同時に構築されることとなる。
【０００８】
また、内部のヒーターにより、浴室と洗面室を同時に暖房することができるものとなる。
しかも、浴室と洗面室との間のスペースは広くとることができるために、間仕切壁の厚み寸法を大きくとることができ、ヒーターを構成する太い湯管等を内部に良好に配設できるものとなる。
【発明を実施するための最良の形態】
【０００９】
浴室側の壁面を構成できるように仕上加工された浴室側パネルと、洗面室側の壁面を構成できるように仕上加工された洗面室側パネルで、内部に空間を形成した間仕切壁とすることができ、この間仕切壁内には、湯を通して温めることのできる湯管を配設して、この湯管をヒーターとして用い、浴室側及び洗面室側を同時に暖房することができるものとなる。
【実施例】
【００１０】
以下、本発明の実施例を図面に基づいて説明する。
図１は、浴室への出入り口となるドア枠５と、浴室と洗面室を仕切る間仕切壁３の設置状態を示すものである。
なお、図２は、ドア枠５及び間仕切壁３を横水平に切断して、要部を拡大して示す平面拡大構成図である。
【００１１】
図に示すように、間仕切壁３は、浴室１側の壁面となる浴室側パネル３１と、洗面室２側の壁面となる洗面室側パネル３２と、浴室側パネル３１と洗面室側パネル３２の左右両端側を連結する側面パネル３３で構成されて、内部には相当の厚みのある空間が形成されており、この空間内にはヒーター３４が埋め込まれている。
このヒーター３４は、電気的なヒーターで構成することもでき、また、湯を通すことのできる湯管で構成することもでき、浴室側パネル３１と洗面室側パネル３２間は、広く確保することができるために、太い湯管を通してヒーター３４とすることができる。
【００１２】
なお、浴室側パネル３１の浴室１側の面は、化粧処理された意匠面３１ａとなっている。また、洗面室側パネル３２の洗面室２側の面は、化粧処理された意匠面３２ａとなっている。
このように、間仕切壁３の内部には、ヒーター３４が埋め込まれており、浴室側と洗面室側が共に意匠面３１ａ，３２ａとなったパネルで間仕切壁３が構成されているため、この間仕切壁３を、ドア枠５に側面パネル３３を当接させて、浴室と洗面室間に建て付けることにより、浴室と洗面室の両方の壁面の仕上げを同時に行うことができ、施工工数が少なく施工が容易なものとなる。
また、この間仕切壁３は通常は手で触ることのない部分であり、ドア４のように常に出入りの際に手が触れることはないため、ヒーター３４が作動しても熱く感じることはない。
【００１３】
その後に、側面パネル３３の側端をドア額縁６で覆蓋させて工事を完了することができ、施工が極めて容易なものとなる。
しかも、内部に埋め込まれているヒーター３４に湯を通すことにより、浴室１と洗面室２を同時にヒーター３４を介して温めることができるものとなる。
【図面の簡単な説明】
【００１４】
【図１】ドア枠と連続状に間仕切壁を設置した設置状態図である。
【図２】ドア枠と間仕切壁の部分を水平方向に切断した要部拡大断面構成図である。
【図３】浴室と洗面室の全体構成を示す斜視図である。
【図４】従来の間仕切壁の図２に対応させた水平方向の要部拡大断面構成図である。
【符号の説明】
【００１５】
１  浴室
２  洗面室
３  間仕切壁
４  ドア
５  ドア枠
６  ドア額縁
３１  浴室側パネル
３１ａ  意匠面
３２  洗面室側パネル
３２ａ  意匠面
３３  側面パネル
３４  ヒーター
【図１】
2005054547.tif 000003
【図２】
2005054547.tif 000004
【図３】
2005054547.tif 000005
【図４】
2005054547.tif 000006
(57)【要約】【課題】  間柱を気にすることなく施工することができて、収納空間を広く確保できる浴室収納構造を提供する。【解決手段】  埋込収納壁６を設けた浴室ユニットにおいて、埋込収納壁６の裏面に、洗面室９側の間仕切壁１０を固定できる固定部８を設け、この固定部８は埋込収納壁６の左右端に縦方向に長く設けられている。【選択図】        図２
2005054546.tif 000002
【特許請求の範囲】
【請求項１】
埋込収納壁を設けた浴室ユニットにおいて、前記埋込収納壁の裏面に、洗面室側の間仕切壁を固定できる固定部を設けたことを特徴とする浴室収納構造。
【請求項２】
前記固定部は、前記埋込収納壁の左右端に、縦方向に長く設けられていることを特徴とする請求項１に記載の浴室収納構造。
【発明の詳細な説明】
【技術分野】
【０００１】
本発明は、埋込収納壁を設けた浴室ユニットに関するものである。
【背景技術】
【０００２】
従来、図５の要部平面断面構成図で、また、図６の要部縦断面構成図で示すように、浴室５１は、床パン５７の外周に浴室壁５２，５２を建て付け、入り口側にはドア枠５３を設けており、洗面室５５側に間仕切壁５６を設けるために、浴室壁５２と間仕切壁５６間には、間柱５４が設けられている。
【特許文献１】特開２０００−１７９１６９号公報
【発明の開示】
【発明が解決しようとする課題】
【０００３】
従来のように間柱５４が存在する場合、浴室壁５２と間仕切壁５６間に、浴室５１側から埋込収納壁を設置しようとすると、間柱５４が邪魔になり、良好に埋込収納壁を設置できないという問題点がある。
【課題を解決するための手段】
【０００４】
本発明は上記従来の問題点に鑑み案出したものであって、良好に埋込収納壁を設けることのできる浴室収納構造を提供するため、埋込収納壁を設けた浴室ユニットにおいて、前記埋込収納壁の裏面に、洗面室側の間仕切壁を固定できる固定部を設けたことである。
また、前記固定部は、前記埋込収納壁の左右端に、縦方向に長く設けられていることである。
【発明の効果】
【０００５】
埋込収納壁の裏側に、洗面室側の間仕切壁を固定できる固定部を設けたことにより、間柱が不要となり、埋込収納壁の裏側の固定部に洗面室側の間仕切壁を良好に固定することができ、広い埋込収納壁を設置できるものとなる。
また、固定部は埋込収納壁の左右端に長く設けられているため、この固定部に対し洗面室側から間仕切壁を釘等で良好に固定して設置できるものとなる。
【発明を実施するための最良の形態】
【０００６】
埋込収納壁の左右端の裏側に、縦方向に長い固定部を、別体または一体で設けておき、この固定部に対し、洗面室側から間仕切壁を釘等で固定することにより、埋込収納壁の裏側に間仕切壁が良好に固定されることとなる。
【実施例】
【０００７】
以下、本発明の実施例を図面に基づいて説明する。
図１は、浴室内から入り口ドア側を見た浴室１の構成図であり、浴室１は、床パン２の外周に複数枚の浴室壁３，３，３を建て付けて構成されており、出入り口には、ドア枠４内に開閉可能にドア５が設けられて、ドア枠４の側方には、ドア枠４とほぼ面一状に埋込収納壁６が設置されている。
この埋込収納壁６には、洗面室側へ凹んだ複数段の収納空間Ｓ，Ｓ，Ｓが形成されており、収納空間Ｓの前面には、倒れ防止バー７，７が横設されている。
【０００８】
この埋込収納壁６は、樹脂で形成されたものであり、背板片６ａの下端には、図３の下端側の縦断面拡大構成図で示すように、背板片６ａの下端から浴室側へ略水平に延びて、底水平片６ｂが一体形成され、底水平片６ｂの前端で下方に垂下状に下端垂下片６ｃが一体形成され、下端垂下片６ｃの下端で裏側へ水平に折り曲げて、載置片６ｄが一体形成されている。
この載置片６ｄが、床パン２の外周の立上片２ａの上端に水平に形成された水平載置片２ｂ上に載せられて設置されるものである。なお、図中２ｃは水切片である。
【０００９】
また、図２において、平面要部断面拡大図で示すように、埋込収納壁６の左右端側には、背板片６ａから浴室側へ延びる側面片６ｅが一体形成されており、この側面片６ｅの前端で外側へ折り曲げられた前面片６ｆが一体形成され、前面片６ｆの先端で裏側へ折り曲げて、回り込み片６ｇが一体形成されている。
この埋込収納壁６の左右端の側面片６ｅ，前面片６ｆ，回り込み片６ｇ間に嵌め込まれて、固定部８が縦方向に長い寸法で設けられている。
この固定部８は、別体で形成された木製の部材を埋込収納壁６に嵌め込んで一体化したものであっても良く、また、埋込収納壁６と一体状に樹脂で成型したものであっても良い。
【００１０】
この埋込収納壁６に一体化されて設けられた左右の固定部８に対し、洗面室９側から釘１１等を用いて間仕切壁１０を固定し、間仕切壁１０を設置することができるものである。
この間仕切壁１０を設置した状態では、間仕切壁１０が、埋込収納壁６の背板片６ａの裏面にほぼ当接状態となるように構成されている。
従って、従来のような間柱は不要であり、浴室１側から埋込収納壁６をドア枠４と浴室壁３間等に嵌め込んで良好に設置することができ、その後に、洗面室９側から間仕切壁１０を固定部８に固定して、良好に間仕切壁１０を設置することができ、その後に、ドア枠４と間仕切壁１０の端部間にドア額縁１２を設置して、施工することができる。
なお、洗面室９側から見た意匠は従来のものと全く同じであり、間柱が存在しないために、広い面積の埋込収納壁６を設置することができ、広い収納空間Ｓを確保した埋込収納壁６となり、有効に収納空間Ｓを使用できるものとなる。
【００１１】
なお、図４に示すような洗い場付浴槽を設けた場合においては、浴槽１３の外周側に、埋込収納壁６の下端の載置片６ｄを載置して、縦方向寸法の短い埋込収納壁６を良好に設置することができ、この場合においても、洗面室９側から埋込収納壁６に設けた固定部８に対し、間仕切壁１０を設置して良好に施工できるものとなる。
【図面の簡単な説明】
【００１２】
【図１】浴室内側から見た埋込収納壁の設置状態図である。
【図２】ドア枠と埋込収納壁の部分を拡大して示す平面要部断面構成図である。
【図３】埋込収納壁と間仕切壁の下端側を拡大して示す縦断面構成図である。
【図４】洗い場付浴槽を備えた浴室における埋込収納壁の設置状態図である。
【図５】従来構造を示す図２に対応させた平面要部断面構成図である。
【図６】従来構造を示す図３に対応させた下端側の縦断面構成図である。
【符号の説明】
【００１３】
１  浴室
２  床パン
２ａ  立上片
２ｂ  水平載置片
３  浴室壁
４  ドア枠
５  ドア
６  埋込収納壁
６ａ  背板片
６ｂ  底水平片
６ｃ  下端垂下片
６ｄ  載置片
６ｅ  側面片
６ｆ  前面片
６ｇ  回り込み片
８  固定部
９  洗面室
１０  間仕切壁
１１  釘
Ｓ  収納空間
【図１】
2005054546.tif 000003
【図２】
2005054546.tif 000004
【図３】
2005054546.tif 000005
【図４】
2005054546.tif 000006
【図５】
2005054546.tif 000007
【図６】
2005054546.tif 000008
(57)【要約】【課題】従来は、バルコニー、ベランダ上部は、オープンの為、洗濯物等及び室内が見えて防犯上も悪いし、また、従来の目隠しだと、風通しに問題が有、また、使用しない時の眺望がのぞめない。【解決手段】従来のバルコニー、ベランダの上部オープン部分に、ジャロジー式のＦｉｘタイプと上げ下げタイプの窓を取付ける事により上記、課題が解決される【選択図】図１
2005054570.tif 000002
【特許請求の範囲】
【請求項１】
集合住宅及マンション等のバルコニーの手スリ上部にジャロジー型式の窓を取付けて室内が外から見えにくくし、また、風通しも良くすく目隠し及び防犯の為の柵
【発明の詳細な説明】
【技術分野】
【０００１】本発明は、集合住宅及マンション等のバルコニー、ベランダから、室内及バルコニー、ベランダ内部が見えるのをふせぎ勝、風通しを、考えた防犯柵でもある
【背景技術】
【０００２】従来は、オープンの為に、外部から、バルコニー及ベランダの内部、室内が見えて防犯上も良くなかった。
【特許文献１】特開２００３−２７８５９
【非特許文献１】該当なし
【発明の開示】
【発明が解決しようとする課題】
【０００３】以上に述べた事により、従来は、内部が見える等防犯上の不安があり、また、完全に、目隠しを行なうと、風通しが悪く眺望がのぞめない。【０００４】本発明は、このような従来の構成が有していた問題を解決しようとするものである
【課題を解決するための手段】
【０００５】本発明は、バルコニー及ベランダの上部のオープン部分に上げ下げ式及びＦｉｘ式のジャロジーを取付た物
【発明の効果】
【０００６】上述したように、通風式バルコニー、ベランダ目隠しを取付ける事により、ベランダ、バルコニーに、安心して、洗濯物等も干せるし、室内も見えない為、安心。
また、その上、通風ものぞめるので、夏もあつくは、ない。
また、眺望を、のぞむ時は、ジャロジーを下におろせば、外の眺望がのぞめる
【発明の実施するための最良の形態】
【０００７】以下、本発明の実施の形態を図１〜図２に基づいて説明する。
【０００８】図１において（３）バルコニー及ベランダ壁に（６）の枠を取付けて、（１）のジャロジー固定と（２）のジャロジー上げ下げタイプを取付る。
（４）は、ジャロジーを、下げた時のオープン部分
【０００９】図２において、（７）は、ジャロジー枠、これに（８）の羽根を取付けて、（９）のように回転させて、開閉させる。
【図面の簡単な説明】
【００１０】
【図１】本発明の実施形態を立面パースに示した図面
【図２】ジャロジー戸の部分図を示した図面
【符号の説明】
１．ジャロジー固定式
２．ジャロジー上げ下げ式
３．バルコニー、ベランダ壁
４．オープン部
５．バルコニー床
６．枠
７．ジャロジー枠
８．羽根
９．羽根の回転方向
【図１】
2005054570.tif 000003
【図２】
2005054570.tif 000004